(57)【特許請求の範囲】
【請求項１】
屋外の状況を監視するセキュリティ装置であって、
所定周波数の出力信号を生成する信号生成手段と、前記信号生成手段で生成された前記出力信号を出力する送信アンテナと、前記送信アンテナから出力された前記出力信号の反射波を受信する受信アンテナと、前記反射波と前記出力信号を周波数混合する２つのミキサと、前記２つのミキサの混合出力を所定の位相差とする位相変更手段と、からなるドップラーセンサと、
前記複数のミキサの出力を基に対象物の接近又は離反を判定する接近離反判定手段と、
前記接近離反判定手段の出力に基づいて侵入者の接近を検出する動体検出手段と、
を備え、
前記ドップラーセンサは屋内に設置され、
前記送信アンテナから出力される出力信号が、雨滴が付着し得る窓ガラスに対し斜め下方に向けて出力されるように前記送信アンテナが配置されることを特徴とするセキュリティ装置。
【請求項２】
屋外の状況を監視するセキュリティ装置であって、
所定周波数の出力信号を生成する信号生成手段と、前記信号生成手段で生成された前記出力信号を出力する送信アンテナと、前記送信アンテナから出力された前記出力信号の反射波を受信する受信アンテナと、前記反射波と前記出力信号を周波数混合する２つのミキサと、前記２つのミキサの混合出力を所定の位相差とする位相変更手段と、からなるドップラーセンサと、
前記複数のミキサの出力を基に対象物の接近又は離反を判定する接近離反判定手段と、
前記接近離反判定手段の出力に基づいて侵入者の接近を検出する動体検出手段と、
を備え、
前記ドップラーセンサは屋内に設置され、
前記送信アンテナから出力される出力信号と、雨滴が付着し得る窓ガラスとのなす角が、上側が鋭角となるようになるように前記送信アンテナが配置されることを特徴とするセキュリティ装置。
【請求項３】
屋外の状況を監視するセキュリティ装置であって、
所定周波数の出力信号を生成する信号生成手段と、前記信号生成手段で生成された前記出力信号を出力する送信アンテナと、前記送信アンテナから出力された前記出力信号の反射波を受信する受信アンテナと、前記反射波と前記出力信号を周波数混合する２つのミキサと、前記２つのミキサの混合出力を所定の位相差とする位相変更手段と、からなるドップラーセンサを２個設け、
前記２つのドップラーセンサのそれぞれの複数のミキサの出力を基に対象物の接近又は離反を判定する２つの接近離反判定手段と、
前記２つの接近離反判定手段の出力に基づいて侵入者の接近を検出する動体検出手段と、
を備え、
前記２つのドップラーセンサは屋内に設置され、
一方のドップラーセンサの送信アンテナから出力される出力信号が、雨滴が付着し得る窓ガラスに対し斜め下方に向けて出力され、他方のドップラーセンサの送信アンテナから出力される出力信号が、雨滴が付着し得る窓ガラスに対し斜め上方に向けて出力されるようにそれぞれの送信アンテナが配置されることを特徴とするセキュリティ装置。
【請求項４】
前記動体検出手段は、前記２つの接近離反判定手段の判定結果がともに接近の場合に侵入者の接近と決定することを特徴とする請求項３に記載のセキュリティ装置。
【請求項５】
前記動体検出手段は、前記一方のドップラーセンサに接続される接近離反判定手段の判定結果が離反で、前記他方のドップラーセンサに接続される接近離反判定手段の判定結果が接近の場合、雨と判定する機能を備えることを特徴とする請求項３または４に記載のセキュリティ装置。
【請求項６】
前記動体検出手段が雨と判定した場合、雨が降っていることを報知することを特徴とする請求項５に記載のセキュリティ装置。
【請求項７】
前記動体検出手段は、前記２つの接近離反判定手段の判定結果がともに離反の場合に侵入者の離反と判定する機能を備えることを特徴とする請求項３〜６のいずれかにに記載のセキュリティ装置。
【請求項８】
前記動体検出手段は、前記一方のドップラーセンサに接続される接近離反判定手段の判定結果が接近で、前記他方のドップラーセンサに接続される接近離反判定手段の判定結果が未検出の場合、小動物の接近と判定する機能を備えることを特徴とする請求項３〜７のいずれかに記載のセキュリティ装置。
【請求項９】
前記動体検出手段は、前記一方のドップラーセンサに接続される接近離反判定手段の判定結果が離反で、前記他方のドップラーセンサに接続される接近離反判定手段の判定結果が未検出の場合、小動物の離反と判定する機能を備えることを特徴とする請求項３〜８のいずれかに記載のセキュリティ装置。
【請求項１０】
前記動体検出手段は、前記一方のドップラーセンサに接続される接近離反判定手段の判定結果が接近で、前記他方のドップラーセンサに接続される接近離反判定手段の判定結果が離反の場合、風による吹き上げられた物体と判定する機能を備えることを特徴とする請求項３〜９のいずれかに記載のセキュリティ装置。
【請求項１１】
前記動体検出手段は、前記一方のドップラーセンサに接続される接近離反判定手段の判定結果が未検出で、前記他方のドップラーセンサに接続される接近離反判定手段の判定結果が接近または離反の場合、風による木の動きと判定する機能を備えることを特徴とする請求項３〜１０のいずれかに記載のセキュリティ装置。
【発明の詳細な説明】
【技術分野】
【０００１】
本発明は、セキュリティ装置に関するもので、より具体的には、ドップラーセンサの出力に基づいて侵入者の有無等を検出するセキュリティ装置に関するものである。
【背景技術】
【０００２】
移動物体を検知するセンサの１つとしてドップラーセンサがある。特にマイクロ波を用いたドップラーセンサはマイクロ波が金属以外の物質を透過できることから、設置場所の制限が少なく、家屋内から家屋外の移動物体の有無等の状況を感知することができるので、セキュリティセンサとして適している。係る使用状態を考えたとき、侵入者は窓から侵入する場合が多く、ドップラーセンサは窓に向けて屋外からの侵入者の接近を検出するように配置される。このドップラーセンサを応用した人体検知装置としては、例えば特許文献１等に開示されたものがある。
【０００３】
【特許文献１】特開２００１−２８３３４７号公報
【発明の開示】
【発明が解決しようとする課題】
【０００４】
しかしながら、上述した屋内に設置したマイクロ波を用いたドップラーセンサにて屋外の状況を検知するようにしたセンサシステムでは、以下に示す問題を有している。すなわち、例えば、雨が降っている場合を想定すると、雨滴が建物の外壁や窓ガラスに付着し、その付着した雨滴は自重により窓ガラス等の表面に沿って下降移動する。ドップラーセンサは、移動する物体を検出するため、係る下降移動する雨滴も検出されてしまう。従って、雨滴の移動を検出すると、それを侵入者と誤認識し、警報を発してしまうおそれがある。また、ドップラーセンサの監視エリア内を移動する子犬その他の小動物や、風により揺れる樹木なども移動物体有りと認識し、侵入者有りと誤認識するおそれがある。
【０００５】
本発明は、屋内に設置したドップラーセンサにより屋外の状況を監視するに際し、窓ガラス面等に付着し、下降移動する雨滴等による誤動作を防止し、侵入者の接近を精度良く検出することができるセキュリティ装置を提供することを目的とする。
【課題を解決するための手段】
【０００６】
上記した目的を達成するために、本発明に係るセキュリティ装置は、屋外の状況を監視するセキュリティ装置であって、所定周波数の出力信号を生成する信号生成手段と、前記信号生成手段で生成された前記出力信号を出力する送信アンテナと、前記送信アンテナから出力された前記出力信号の反射波を受信する受信アンテナと、前記反射波と前記出力信号を周波数混合する２つのミキサと、前記２つのミキサの混合出力を所定の位相差とする位相変更手段と、からなるドップラーセンサと、前記複数のミキサの出力を基に対象物の接近又は離反を判定する接近離反判定手段と、前記接近離反判定手段の出力に基づいて侵入者の接近を検出する動体検出手段と、を備え、前記ドップラーセンサは屋内に設置され、前記送信アンテナから出力される出力信号が、雨滴が付着し得る窓ガラスに対し斜め下方に向けて出力されるように前記送信アンテナが配置されるように構成した。
【０００７】
また、別の解決手段としては、屋外の状況を監視するセキュリティ装置であって、所定周波数の出力信号を生成する信号生成手段と、前記信号生成手段で生成された前記出力信号を出力する送信アンテナと、前記送信アンテナから出力された前記出力信号の反射波を受信する受信アンテナと、前記反射波と前記出力信号を周波数混合する２つのミキサと、前記２つのミキサの混合出力を所定の位相差とする位相変更手段と、からなるドップラーセンサと、前記複数のミキサの出力を基に対象物の接近又は離反を判定する接近離反判定手段と、前記接近離反判定手段の出力に基づいて侵入者の接近を検出する動体検出手段と、を備え、前記ドップラーセンサは屋内に設置され、前記送信アンテナから出力される出力信号と、雨滴が付着し得る窓ガラスとのなす角が、上側が鋭角となるようになるように前記送信アンテナが配置されるように構成した。
【０００８】
本発明では、ドップラーセンサの出力信号に基づく接近離反判定は、侵入者の接近は「接近」となる。一方、ガラス窓に付着した雨滴等が下降移動した場合、当該雨滴はドップラーセンサから離れていくので、接近離反判定は「離反」となる。よって、雨滴の移動と侵入者の接近の場合で判定結果が異なるので、屋内に設置したドップラーセンサにより屋外の状況を監視するに際し、両者を弁別し、窓ガラス面等に付着し、下降移動する雨滴等による誤動作が防止される。
【０００９】
別の解決手段としては、屋外の状況を監視するセキュリティ装置であって、所定周波数の出力信号を生成する信号生成手段と、前記信号生成手段で生成された前記出力信号を出力する送信アンテナと、前記送信アンテナから出力された前記出力信号の反射波を受信する受信アンテナと、前記反射波と前記出力信号を周波数混合する２つのミキサと、前記２つのミキサの混合出力を所定の位相差とする位相変更手段と、からなるドップラーセンサを２個設け、前記２つのドップラーセンサのそれぞれの複数のミキサの出力を基に対象物の接近又は離反を判定する２つの接近離反判定手段と、前記２つの接近離反判定手段の出力に基づいて侵入者の接近を検出する動体検出手段と、を備え、前記２つのドップラーセンサは屋内に設置され、一方のドップラーセンサの送信アンテナから出力される出力信号が、雨滴が付着し得る窓ガラスに対し斜め下方に向けて出力され、他方のドップラーセンサの送信アンテナから出力される出力信号が、雨滴が付着し得る窓ガラスに対し斜め上方に向けて出力されるようにそれぞれの送信アンテナが配置されるようにするとよい。このようにすると、両ドップラーセンサの出力が接近である場合に侵入者が接近したと判定することができ、より精度良く判定することができる。
【００１０】
上記の２つのドップラーセンサを用いるセキュリティ装置を前提とし、前記動体検出手段は、以下に示す各種の判定を行うと良い。すなちわ、前記動体検出手段は、前記２つの接近離反判定手段の判定結果がともに接近の場合に侵入者の接近と決定するとよい。
また、前記動体検出手段は、前記一方のドップラーセンサに接続される接近離反判定手段の判定結果が離反で、前記他方のドップラーセンサに接続される接近離反判定手段の判定結果が接近の場合、雨と判定する機能を備えるとよい。その場合に、前記動体検出手段が雨と判定した場合、雨が降っていることを報知するとよい。
動体検出手段は、前記２つの接近離反判定手段の判定結果がともに離反の場合に侵入者の離反と判定する機能を備えるとよい。
動体検出手段は、前記一方のドップラーセンサに接続される接近離反判定手段の判定結果が接近で、前記他方のドップラーセンサに接続される接近離反判定手段の判定結果が未検出の場合、小動物の接近と判定する機能を備えるとよい。
動体検出手段は、前記一方のドップラーセンサに接続される接近離反判定手段の判定結果が離反で、前記他方のドップラーセンサに接続される接近離反判定手段の判定結果が未検出の場合、小動物の離反と判定する機能を備えるとよい。
動体検出手段は、前記一方のドップラーセンサに接続される接近離反判定手段の判定結果が接近で、前記他方のドップラーセンサに接続される接近離反判定手段の判定結果が離反の場合、風による吹き上げられた物体と判定する機能を備えるとよい。
動体検出手段は、前記一方のドップラーセンサに接続される接近離反判定手段の判定結果が未検出で、前記他方のドップラーセンサに接続される接近離反判定手段の判定結果が接近または離反の場合、風による木の動きと判定する機能を備えるとよい。
また、前記送信アンテナから斜め方向に出力される出力信号の水平方向に対する放射角度或いは前記なす角は、４５度とするとよい。
【発明の効果】
【００１１】
本発明では、ドップラーセンサの出力信号に基づく接近離反判定は、侵入者の接近は「接近」となるが雨滴の下降移動は「離反」となる。よって、屋内に設置したドップラーセンサにより屋外の状況を監視するに際し、窓ガラス面等に付着し、下降移動する雨滴等による誤動作を防止し、侵入者の接近を精度良く検出することができる。
【発明を実施するための最良の形態】
【００１２】
図１は、本発明の第１の実施の形態を示している。図１（ａ）に示すように、対象物の接近・離反を判定可能なマイクロ波ドップラーセンサ１０を内蔵するセキュリティ装置２０を、屋内の天井１に取り付ける。このとき、マイクロ波ドップラーセンサ１０の監視方向（マイクロ波の出力信号の放射方向）が、窓ガラス２に対して上部から所定の角度をとるようにした。具体的には、伏角θが、約４５°（±１０°以内に設置するのが好ましい）になるように設定した。これにより、マイクロ波ドップラーセンサ１０から出力された出力信号は、斜め下方に進むことになる。さらに、マイクロ波ドップラーセンサ１０の指向性センターが、窓から１ｍ程度の位置にいる侵入者３の胴体を狙える位置にあるように設定した。
【００１３】
セキュリティ装置２０の取り付け手段は、各種の方法が採れる。一例としては、図１（ａ）に示すように屋内の天井１に取り付け治具４を介して設置することもできるし、図１（ｂ）に示すように、家屋の内壁７（或いは窓枠）に対して取り付け部材５を介してセキュリティ装置２０を設置することもできる。
【００１４】
図２は、セキュリティ装置２０の内部構造を示している。本実施の形態では、２出力のマイクロ波ドップラーセンサ１０と、マイクロ波ドップラーセンサ１０から出力される位相差が９０度異なる検波出力（ドップラー信号）２つの検波信号ＩＦ１（アナログ），ＩＦ２（アナログ）に基づいて侵入者の接近の有無を判定する信号処理回路とを備えている。図１では、マイクロ波ドップラーセンサ１０と信号処理回路が１つの筐体内に実装された例を示したが、信号処理回路の一部または全部をマイクロ波ドップラーセンサ１０が実装される筐体とは別に形成しても良い。
【００１５】
信号処理回路は、２つの検波信号の出力端子に接続され、直流分をカットするコンデンサ２１ａ，２１ｂと、そのコンデンサ２１ａ，２１ｂの後段に接続されたアンプ２２ａ，２２ｂと、そのアンプ２２ａ，２２ｂで増幅された信号を二値化するコンパレータ２３ａ，２３ｂと、２値化されたＩＦ１（ロジック）とＩＦ２（ロジック）の両信号を用いて検出されたドップラー信号の１周期分が接近か離反かを判定する接近離反判定部２４と、接近離反判定部からの出力により侵入者か否かを判定する動体検出部２５と、を備えている。
【００１６】
２出力のマイクロ波ドップラーセンサ１０は、ＩＦ１とＩＦ２の進み／遅れ関係から接近／離反の相対方向弁別を行うために用いている。図３は、そのマイクロ波ドップラーセンサ１０の具体的な構成を示している。
【００１７】
図に示すように、マイクロ波ドップラーセンサ１０では、所定周波数の出力信号を生成する局部発振器１１の出力が第１ミキサ１５並びに送信アンテナ１３に接続されている。また、第１ミキサ１５には、受信アンテナ１４にて受信した受信信号も入力される。受信アンテナ１４と第１ミキサ１５の間には第１位相器１７を挿入配置し、当該受信信号をその第１位相器１７を経由して第１ミキサ１５に入力するようにしている。そして、第１ミキサ１５において、第１位相器１７にて位相が変えられた受信信号と、局部発振出力（送信信号）とが周波数混合される。第１位相器１７は、位相を４５度遅延させるものであり、具体的には、λ／８の線路長を持つパターンにより構成する。
【００１８】
さらに、第２位相器１８並びに第２ミキサ１６を設け、局部発振器１１の出力を第２位相器１８を介して第２ミキサ１６に与えるとともに、受信アンテナ１４で受信した受信信号を第２ミキサ１６に与えるようにしている。これにより、第２ミキサ１６では、局部発振出力（送信信号）を第２位相器１８にて位相が変えられた信号と、受信信号とが周波数混合される。この第２位相器１８も、位相を４５度遅延させるものであり、具体的には、λ／８の線路長を持つパターンにより構成する。このように構成することにより第１ミキサ１５、第２ミキサ１６間の出力となるドップラー信号ＩＦ１（アナログ）とＩＦ２（アナログ）の出力の位相差は９０度となる。
【００１９】
このアナログのドップラー信号ＩＦ１，ＩＦ２は、コンデンサ２１ａ，２１ｂ，アンプ２２ａ，２２ｂ並びにコンパレータ２３ａ，２３ｂを経て、２値化されたパルス信号となる。接近離反判定部２４は、ドップラー信号の１周波毎に対象物の接近離反を判定する。具体的な接近・離反の判定アルゴリズムは、以下の通りである。
【００２０】
図４に示すように、ＩＦ１（ロジック）が立ち上がるときのＩＦ２（ロジック）の状態が、ＨであるかＬであるかにより、対象物がマイクロ波ドップラーセンサ１０に対して接近しているのか離反しているのかを判定することができる。すなわち、対象物がドップラーセンサに接近しているときＩＦ１に比べてＩＦ２の出力が９０度遅れるようになり、対象物がドップラーセンサから離反しているときにはＩＦ１に比べてＩＦ２の出力が９０度進むように位相器を構成した場合、図に示すように、対象物がドップラーセンサに接近しているときはＩＦ１（ロジック）の立ち上がり時にＩＦ２（ロジック）はＨを示し、離反しているときはＬを示すこととなる。このことを利用し、接近離反判定部２４はＩＦ１（ロジック）の立ち上がり時に対象物の接近離反を判定する。そして、この判定結果は、次段の動体検出部２５に与えられる。
【００２１】
なお、本実施の形態では、マイクロ波ドップラーセンサ１０の２つの出力を基に接近・離反を判定するに際し、コンパレータを用いて二値化した信号を用いたが、本発明は必ずしも二値化する必要はない。要は２つの信号の位相の進み遅れを判定できれば他の各種の方法を用いても良いのはもちろんである。
【００２２】
次に、動体検出部２５の機能を説明する。マイクロ波ドップラーセンサ１０から出力された出力信号が窓ガラス２に付着した雨滴で反射し戻ってきた場合を想定する。窓ガラス２に付着した雨滴６が滴り落ちると、雨滴６は下方に移動することになり、その移動に伴う検波信号がマイクロ波ドップラーセンサ１０から出力される。このとき、マイクロ波ドップラーセンサ１０から出力される出力信号は上方から斜め下方に向けて出力しているため、下降移動する雨滴はマイクロ波ドップラーセンサ１０から離反する方向の移動となる。よって、窓ガラス２に沿って落下移動する雨滴が存在する場合、接近離反判定部２４からは、離反する移動物体があるという判定結果が出される。これに対し、侵入者３が家屋に近づいてきた場合は接近してきた場合は、マイクロ波ドップラーセンサ１０からの検波信号に基づく接近離反判定部２４の判定結果は、接近となる。そこで、動体検出部２５は、接近判定があったときのみ異常判定を行えばよく、雨滴による誤動作を防止することができる。
【００２３】
図５は、動体検出部２５が侵入者判定を行うためのフローチャートを示している。図５に示すように、処理開始後、Ｎビットシフトレジスタ（過去Ｎ個分の０（離反パルス），１（接近パルス）データを記憶するもの）を初期化する（Ｓ２０）。具体的には、初期化は、図６に示すように、Ｎビットレジスタに対し、０と１の交番データを充填する。このＮビットシフトレジスタは、図示省略するが、セキュリティ装置２０内にハード的あるいはソフト的に実装されている。
【００２４】
次いで、所定時間ｔ秒が経過したか否かを判断し（Ｓ３０）、ｔ秒経過したならば、Ｎビットシフトレジスタの定期処理を行なう（Ｓ３１）。この定期処理は、具体的にはＮビットシフトレジスタに０と１を１つずつ追加し、古いビットから２つを破棄する（図７参照）。
【００２５】
一方、ｔ秒経過しない場合（Ｓ３０でＮｏ）、あるいは処理ステップＳ３１を実行後に、ＩＦ１（ロジック）の立ち上がりエッジがあったか否かを判断し（Ｓ３２）、立ち上がりエッジが無い場合には、処理ステップＳ３０に戻り、上述した処理を繰り返す。これにより、ＩＦ１の立ち上がりが検出されるまでの間、ｔ秒間隔でＮビットシフトレジスタの定期処理が実行されるが、０と１を追加し、古いビットを２つ分破棄するため、Ｎビットシフトレジスタに格納されたデータは、初期化したときの０と１の交番データと同じ値を採る。
【００２６】
分岐判断のＳ３２においてＩＦ１（ロジック）の立ち上がりエッジを検出したらＩＦ２（ロジック）のレベルがＨかＬのいずれであるかを確認する（Ｓ３３）。そして、ＩＦ２（ロジック）のレベルがＨであれば２値化された信号が接近を示すドップラー信号（接近パルス）と判定され、Ｎビットシフトレジスタの最新ビット側に１を入れて最古ビットを破棄する（Ｓ３４）。また、ＩＦ２（ロジック）のレベルがＬであれば離反を示すドップラー信号（離反パルス）として判定されＮビットシフトレジスタの最新ビット側に０を入れて最古ビットを破棄する（Ｓ３５）。
【００２７】
上述した処理ステップＳ３０〜３５は、接近パルスと離反パルスによりＮビットシフトレジスタを更新し、所定時間ｔを越えてもＩＦ１（ロジック）の立ち上がりエッジを検出できない場合は信号が途絶えたものとして動体検出が行われていない状態すなわち０と１で更新するようにしたものである。このようにすれば何らかの不要信号による長時間をかけて１の累積による誤検知を防ぐことができる。
【００２８】
これらの処理により動体検出部２５では、接近パルスを示す１の累計が所定値Ｍを越えたか否かを判断し（Ｓ４０）、越えた場合に侵入者あり（検出）と判断し（Ｓ４１）、越えない場合には侵入者なし（非検出）と判断する（Ｓ４２）。すなわち、累計が所定値以下であるということは、Ｎビットシフトレジスタは動体を検出していないとき（０と１の数が同等）、又は動体の離反が連続していることを示す。これに対し、累計が所定値以上になるときは動体の接近が連続して発生し増加していることを示す。そこで、１の累計が一定のマージンを考慮して設定されたＭを越えたならば、侵入者が接近していると判断できる。これに対し、雨滴の場合には、離反していくため、０が追加され１の累計が小さくなるため、非検出となる。さらに、例えばセンサノイズ等のランダムな信号の場合、接近と離反を繰り返すため、１の累計は一定以上には増えず、Ｍの値を超えないので、非検出となる（誤検出をしない）。
【００２９】
尚、Ｎビットシフトレジスタのビット数Ｎは、２０から１００程度で設定するとよく、累計値Ｍは０．７×Ｎ〜０．９×Ｎ程度とするとよい。これは、ＩＦ１（ロジック）の立ち上がりを検出するということはドップラー信号が１波長発生したことを示し、このときの動体の移動距離はマイクロ波ドップラーセンサ１０から送出される信号の１波分の半分（往復）である。具体的には２４ＧＨｚの信号を送出した場合６ｍｍ程度であり、Ｎを２０とした場合１２ｃｍ、１００とした場合には６０ｃｍになる。Ｎを少なくしてＭを小さくすればより感度良く接近する動体を検出することができるが、草等の動体も検出する可能性がありＮ，Ｍを適宜設定することで最適な感度を設定することができる。もちろん、接近離反判定部２４の出力に基づく侵入者の検知アルゴリズムは、上述したＮビットレジスタを用いたものに限ることはなく、各種の判定アルゴリズムを利用することができる。
【００３０】
動体検出部２５が侵入者有り（接近）と判定したならば、所定の警報装置を動作させ、警報出力をする。具体的には、警報音を発生したり、警報灯を点灯させたりすることで、侵入者を威嚇するとともに、周囲にいる人に侵入者の存在を知らせる。また、所定の通信手段を介して遠隔地にいる監視装置に通知したり、メール等により外部にいる居住者に通知したりすることができる。係る機能を動体検出部に実装してもよいし、別部材として実装することもできる。
【００３１】
図８（ａ）に示すように使用するアンテナの指向性を水平方向に扁平にするとよい。係る構成を採ると、図８（ｂ）に示すように監視窓の範囲を広くすることができたり、敷地外の人を誤検知しない等の効果が得られる。
【００３２】
図９は、本発明の第２の実施の形態を示している。本実施の形態では、窓ガラス２の上方と下方にそれぞれマイクロ波ドップラーセンサ１０ａ，１０ｂを設けるようにした。上方のマイクロ波ドップラーセンサ１０ａは、第１の実施形態のドップラーセンサと同様な構成・条件で設置し、信号処理の方法も同じ態様をとっている。また、下方のマイクロ波ドップラーセンサ１０ｂは、第１の実施形態と同様な構成を採り、送信アンテナから出力される出力信号が斜め上方（例えば俯角を４５度）に向けて出力されるように設置する。なお、本実施の形態では、上方のマイクロ波ドップラーセンサ１０ａは、天井１の裏に設置し、下方のマイクロ波ドップラーセンサ１０ｂは、床８の下方に設置した。これにより、侵入者等がセンサを設置していることがわからないようにでき、また、居住者にとってもセンサが室内に露出していないのでじゃまにならず、見た目も良い。
【００３３】
さらに、図示省略するが、２つのマイクロ波ドップラーセンサ１０ａ，１０ｂにそれぞれ接続された接近離反判定部の各出力を１つの動体検出部に与え、その動体検出部にて両者の接近離反判定部の判定結果に基づいて侵入判定を行うように構成している。各接近離反判定部からの出力は、配線して動体検出部に接続してもよいし、適宜無線通信を用いたり家庭内ＬＡＮや電力線重畳などの既存の方法により配線してもよい。
【００３４】
動体検出部は、以下のルールに従って判定する。すなわち、侵入者が接近（離反）してきた場合は、両マイクロ波ドップラーセンサ１０ａ，１０ｂの出力は接近（離反）を示す。また、窓ガラスに沿って雨滴が下降移動した場合、上方のマイクロ波ドップラーセンサ１０ａからは離反を検出するが、下方のマイクロ波ドップラーセンサ１０ｂからは逆に接近を検出することになる。さらに、地上を移動する小動物の場合、上方のマイクロ波ドップラーセンサ１０ａは検出できるものの、下方のマイクロ波ドップラーセンサ１０ｂは斜め上方に向けてマイクロ波の出力信号が放射されるため検出できない。逆に風による木の動きの場合には、下方のマイクロ波ドップラーセンサ１０ｂのみが検出できる。上記の検出態様をまとめると、下記表のようになる。なお、下記表において、センサ１は上方に設置したマイクロ波ドップラーセンサ１０ａであり、センサ２が下方に設置したマイクロ波ドップラーセンサ１０ｂである。
【表１】
0004799173.tif 000002
【００３５】
そこで、動体検出部は、下記表に従い、両マイクロ波ドップラーセンサ１０ａ，１０ｂの出力信号に基づく判定結果が共に接近の場合に、侵入者が接近と判断するようにした。なお、この接近の判断は、第１の実施の形態のようにそれぞれの接近離反判定部の出力に基づいて更新するＮビットレジスタを用いて行なうようにしても良いし、Ｎビットレジスタを用いることなく１回の判定に基づいて行なうようにしても良い。
【００３６】
さらに、本実施の形態では、ドップラーセンサを２つに増やすことで、雨滴だけでなく木による影響や犬などの小動物による影響（誤動作）を軽減することができる。さらにまた、本実施の形態では、対象物の内容を判定することができ、警備状態時に侵入者警報を行えるだけでなく侵入者がうろうろしている場合（接近・離反の繰り返し）に予備警報を発することが可能となる。さらには、非警備時においては上方のドップラーセンサが離反を示し下方のマイクロ波ドップラーセンサ１０ｂが接近を示すことで雨滴を検出することができ、雨の報知を行なうことが可能となる。
【００３７】
また、上述した各実施の形態では、ドップラーセンサからの出力信号の放射方向を水平方向に対し所定角度に傾斜するようにしたが、本発明はこれに限ることはなく、例えば図１０に示すように、窓ガラス２が斜めに設置されているような場合には、マイクロ波ドップラーセンサ１０からの出力信号の放射方向が水平方向となっていても、その出力信号と窓ガラスとのなす角θ１が、上側が鋭角となるようになるように設置すればよい。係る構成をとると、雨滴の下降移動は離反と判断でき、侵入者の接近を検出することができる。もちろん、窓ガラスが斜めに設置されている場合でも、各実施の形態のようにドップラーセンサからの出力信号の放射方向が斜めになるように設置しても良い。
【００３８】
なお、上述した各実施の形態ではマイクロ波ドップラーセンサを用いているが、ミリ波によるものでも良く、要は、電磁波によるドップラーセンサであれば実現することができる。
【図面の簡単な説明】
【００３９】
【図１】第１の実施の形態の実装状態を示す図である。
【図２】第１の実施の形態を示す機能ブロック図である。
【図３】ドップラーセンサの内部構造を示す図である。
【図４】接近離反判定部の動作原理を説明する図である。
【図５】動体検出部の機能を示すフローチャートである。
【図６】動体検出部の作用を説明する図である。
【図７】動体検出部の作用を説明する図である。
【図８】変形例を示す図である。
【図９】第２の実施の形態の実装状態を示す図である。
【図１０】変形例を示す図である。
【符号の説明】
【００４０】
１０  ドップラーセンサ
１１  局部発振器
１３  送信アンテナ
１４  受信アンテナ
１５  第１ミキサ
１６  第２ミキサ
１７  第１位相器
１８  第２位相器
２０  セキュリティ装置
２１ａ，２１ｂ  コンデンサ
２２ａ，２２ｂ  アンプ
２３ａ，２３ｂ  コンパレータ
２４  接近離反判定部
２５  動体検出部
【図１】
0004799173.tif 000003
【図２】
0004799173.tif 000004
【図３】
0004799173.tif 000005
【図４】
0004799173.tif 000006
【図５】
0004799173.tif 000007
【図６】
0004799173.tif 000008
【図７】
0004799173.tif 000009
【図８】
0004799173.tif 000010
【図９】
0004799173.tif 000011
【図１０】
0004799173.tif 000012